(57)【要約】【課題】特に設備費用の負担を増やすことなく駐車管理を行うことを可能にした駐車管理システム及び駐車管理サーバ装置を提供する。【解決手段】  車両４が駐車場内に設けられたいずれかの駐車スペースに駐車した場合に、該駐車スペースに対して設置された該駐車スペースを識別する駐車識別情報が描かれた標識を撮像し、撮像された撮像画像に対して画像処理を施すことによって車両が駐車された駐車スペースを識別する駐車識別情報を特定し、車両４から駐車管理サーバ３に特定された駐車識別情報と車両を識別する車両識別情報とを送信し、駐車管理サーバ３において、車両４から送信された駐車識別情報によって識別される駐車スペースに、車両４から送信された車両識別情報によって識別される車両４が駐車されると判定するように構成する。【選択図】図８
2018067136.tif 000002
【特許請求の範囲】
【請求項１】
周辺を撮像する撮像装置を備えた車両と、前記車両と双方向通信可能に接続されたサーバとを有し、駐車場を利用する車両を管理する駐車管理システムであって、
車両が駐車場内に設けられたいずれかの駐車スペースに駐車した場合に、該駐車スペースに対して設置された該駐車スペースを識別する駐車識別情報が描かれた標識を、前記撮像装置により撮像する撮像手段と、
前記撮像手段により撮像された撮像画像に対して画像処理を施すことによって前記車両が駐車された駐車スペースを識別する前記駐車識別情報を特定する識別情報特定手段と、
前記車両から前記サーバに前記識別情報特定手段により特定された前記駐車識別情報と前記車両を識別する車両識別情報とを送信する情報送信手段と、
前記サーバにおいて、前記車両から送信された前記駐車識別情報によって識別される駐車スペースに、前記車両から送信された前記車両識別情報によって識別される車両が駐車されると判定する駐車管理手段と、を有する駐車管理システム。
【請求項２】
前記情報送信手段では、前記駐車識別情報と前記車両識別情報とともに前記車両の位置を特定する車両位置情報についても前記サーバに送信し、
前記駐車管理手段では、
前記サーバにおいて、前記車両から送信された前記駐車識別情報によって識別される駐車スペースの位置を取得し、
前記駐車スペースの位置から所定範囲内に前記車両の位置がある場合に、前記駐車スペースに前記車両が駐車されると判定する請求項１に記載の駐車管理システム。
【請求項３】
前記情報送信手段では、前記駐車識別情報と前記車両識別情報とともに前記車両が直近に位置した道路を特定する道路情報についても前記サーバに送信し、
前記駐車管理手段では、
前記サーバにおいて、前記車両から送信された前記駐車識別情報によって識別される駐車スペースを含む駐車場に隣接する道路を取得し、
前記駐車場に隣接する道路と前記車両が直近に位置した道路とが一致する場合に、前記駐車スペースに前記車両が駐車されると判定する請求項１又は請求項２に記載の駐車管理システム。
【請求項４】
前記情報送信手段では、前記駐車識別情報と前記車両識別情報とともに前記車両の方位を特定する車両方位情報についても前記サーバに送信し、
前記駐車管理手段では、
前記サーバにおいて、前記車両から送信された前記駐車識別情報によって識別される駐車スペースの設置方向を取得し、
前記駐車スペースの設置方向と前記車両の方位が対応する場合に、前記駐車スペースに前記車両が駐車されると判定する請求項１乃至請求項３のいずれかに記載の駐車管理システム。
【請求項５】
前記車両が駐車していた前記駐車スペースから走行を開始した後であって、前記車両の現在位置が前記駐車場の位置を特定する座標から所定距離以上離れた場合に、前記サーバに前記車両識別情報とともに駐車の終了を示す駐車終了情報を送信する終了送信手段を有し、
前記駐車管理手段では、
前記サーバにおいて、前記車両から前記駐車終了情報を受信した場合に、前記駐車スペースにおける前記車両の駐車が終了したと判定する請求項１乃至請求項４のいずれかに記載の駐車管理システム。
【請求項６】
周辺を撮像する撮像装置を備えた車両と双方向通信可能に接続され、駐車場を利用する車両を管理する駐車管理サーバ装置であって、
駐車場内に設けられたいずれかの駐車スペースに駐車した車両から、該駐車スペースに対して設置された該駐車スペースを識別する駐車識別情報が描かれた標識を、前記撮像装置により撮像することによって特定された前記車両が駐車された駐車スペースを識別する前記駐車識別情報と、前記車両を識別する車両識別情報とを受信する情報受信手段と、
前記車両から受信した前記駐車識別情報によって識別される駐車スペースに、前記車両から受信した前記車両識別情報によって識別される車両が駐車されると判定する駐車管理手段と、を有する駐車管理サーバ装置。
【発明の詳細な説明】
【技術分野】
【０００１】
本発明は、駐車場を利用する車両を管理する駐車管理システム及び駐車管理サーバ装置に関する。
【背景技術】
【０００２】
コインパーキングやストリートパーキング等の街中にある各種駐車場においては、駐車場が備える各駐車スペースへ駐車を行う車両の管理（以下、駐車管理という）を行う必要がある。具体的には、駐車する車両の有無、駐車する車両がある場合には該車両が何時から何時まで駐車を行ったか等について管理する。上記駐車管理を行うことによって、駐車スペースの空き状況を把握することが可能であり、また駐車料金が駐車時間によって決まる駐車場に関しては、駐車料金の算出及び清算を行うことが可能となる。
【０００３】
上記駐車管理を行うシステムの例としては、従来より駐車スペースに設置されたロック板を使って管理する方法や、駐車場の入場時に車両に対して駐車券を発行することによって管理する方法が行われている。一方、駐車管理をより正確に行うとともにユーザの作業負担を削減する方法として、例えば特開２０１０−１０８２４０号公報には、駐車場内に設置されたカメラによって駐車スペースに駐車された車両のナンバーを認識することによって、駐車スペースへの車両の駐車の有無や駐車された車両の識別を行う方法について提案されている。
【先行技術文献】
【特許文献】
【０００４】
【特許文献１】特開２０１０−１０８２４０号公報（第５、図１）
【発明の概要】
【発明が解決しようとする課題】
【０００５】
しかしながら、上記特許文献１に記載の技術では駐車場に設置された全ての駐車スペースを撮像する為のカメラを設置する必要がある。特に大型の駐車場では、駐車スペースが多数ある為、設置する必要のあるカメラの数も多数必要となり、設置費用が高額となる。一方で、個人経営の小規模の駐車場においては、設置数が少なくてもカメラを設置するのは経営者側にとって相当の負担となっていた。
【０００６】
本発明は前記従来における問題点を解消するためになされたものであり、車両が備える撮像装置を用いることによって、特に設備費用の負担を増やすことなく駐車管理を行うことを可能にした駐車管理システム及び駐車管理サーバ装置を提供することを目的とする。
【課題を解決するための手段】
【０００７】
前記目的を達成するため本発明に係る駐車管理システムは、周辺を撮像する撮像装置を備えた車両と、前記車両と双方向通信可能に接続されたサーバとを有し、駐車場を利用する車両を管理する駐車管理システムであって、車両が駐車場内に設けられたいずれかの駐車スペースに駐車した場合に、該駐車スペースに対して設置された該駐車スペースを識別する駐車識別情報が描かれた標識を、前記撮像装置により撮像する撮像手段と、前記撮像手段により撮像された撮像画像に対して画像処理を施すことによって前記車両が駐車された駐車スペースを識別する前記駐車識別情報を特定する識別情報特定手段と、前記車両から前記サーバに前記識別情報特定手段により特定された前記駐車識別情報と前記車両を識別する車両識別情報とを送信する情報送信手段と、前記サーバにおいて、前記車両から送信された前記駐車識別情報によって識別される駐車スペースに、前記車両から送信された前記車両識別情報によって識別される車両が駐車されると判定する駐車管理手段と、を有する。
【０００８】
また、本発明に係る駐車管理サーバ装置は、周辺を撮像する撮像装置を備えた車両と双方向通信可能に接続され、駐車場を利用する車両を管理する駐車管理サーバ装置であって、駐車場内に設けられたいずれかの駐車スペースに駐車した車両から、該駐車スペースに対して設置された該駐車スペースを識別する駐車識別情報が描かれた標識を、前記撮像装置により撮像することによって特定された前記車両が駐車された駐車スペースを識別する前記駐車識別情報と、前記車両を識別する車両識別情報とを受信する情報受信手段と、前記車両から受信した前記駐車識別情報によって識別される駐車スペースに、前記車両から受信した前記車両識別情報によって識別される車両が駐車されると判定する駐車管理手段と、を有する。
【発明の効果】
【０００９】
前記構成を有する本発明に係る駐車管理システム及び駐車管理サーバ装置によれば、既存の車両が備える撮像装置を用いて駐車管理を行うことによって、特に設備費用の負担を増やすことなく駐車管理を正確に行うことが可能となる。その結果、駐車スペースが多数ある駐車場においても設備費用が高額となることなく、一方、個人経営の小規模の駐車場においても、経営者に大きな負担を課すことを抑えることが可能となる。また、駐車を行う車両側のユーザの駐車場利用に際する作業負担についても抑えることが可能となる。また、駐車管理を正確に行うことにより不正決済を防止する効果もある。
【図面の簡単な説明】
【００１０】
【図１】本実施形態に係る駐車管理システムを示した概略構成図である。
【図２】本実施形態に係る駐車管理システムの構成を示したブロック図である。
【図３】車両に設置されたフロントカメラ及びバックカメラを示した図である。
【図４】駐車場ＤＢに記憶された情報の一例を示した図である。
【図５】駐車管理ＤＢに記憶された情報の一例を示した図である。
【図６】本実施形態に係る駐車管理システムの特にナビゲーション装置の構成を示したブロック図である。
【図７】本実施形態に係る駐車管理プログラムのフローチャートである。
【図８】駐車場の一例を示した図である。
【図９】駐車スペースに対して配置された２次元コードを示した図である。
【図１０】駐車判定処理のサブ処理プログラムのフローチャートである。
【図１１】本実施形態に係る退出管理プログラムのフローチャートである。
【発明を実施するための形態】
【００１１】
以下、本発明に係る駐車管理システム及び駐車管理サーバ装置を具体化した一実施形態について図面を参照しつつ詳細に説明する。先ず、本実施形態に係る駐車管理システム１の概略構成について図１及び図２を用いて説明する。図１は本実施形態に係る駐車管理システム１を示した概略構成図である。図２は本実施形態に係る駐車管理システム１の構成を示したブロック図である。
【００１２】
図１に示すように、本実施形態に係る駐車管理システム１は、駐車場の管理及び運営を行う駐車管理センタ２が備える駐車管理サーバ（駐車管理サーバ装置）３と、車両４と、車両４に設置された車載器であるナビゲーション装置５と、を基本的に有する。また、駐車管理サーバ３とナビゲーション装置５は通信ネットワーク網６を介して互いに電子データを送受信可能に構成されている。尚、ナビゲーション装置５の代わりに通信機能を有するその他の車載器を用いても良い。
【００１３】
ここで、駐車管理サーバ３は、予め管理対象として登録された駐車場を利用する車両４を管理する管理サーバである。駐車管理サーバ３は、後述のように駐車場に対して駐車を行った車両４から送信される情報に基づいて、駐車場の各駐車スペースに対して駐車する車両４の管理（駐車の有無の管理、駐車している車両がある場合には車両の識別及び駐車時間の管理等）、駐車料金の決済などの各種処理を行う。
【００１４】
また、車両４は駐車管理サーバ３に対して予め利用登録を行っているユーザの車両が該当する。尚、利用登録としては、例えばユーザのＩＤ、住所、氏名、電話番号、メールアドレス、車両の車種やナンバー、駐車料金の精算に用いるカード情報等を登録する。但し、事前の利用登録は必須ではなく、車両が駐車を行う際に登録についても併せて行うようにしても良い。
【００１５】
また、車両４にはフロントカメラ７及びバックカメラ８が設置されている。フロントカメラ７は、例えばＣＣＤ等の固体撮像素子を用いたカメラにより構成され、図３に示すように車両４のフロントバンパの上方やルームミラーの裏側に取り付けられるとともに光軸方向を車両４の進行方向前方に向けて設置される。一方、バックカメラ８は、同じくＣＣＤ等の固体撮像素子を用いたカメラにより構成され、図３に示すように車両４の後方に装着されたナンバープレートの上中央付近に取り付けられ、光軸方向を車両４の進行方向後方に向けて設置される。そして、フロントカメラ７及びバックカメラ８は、車両４の前方及び後方を撮像し、後述のように駐車スペースに設置された駐車識別情報（例えば２次元コード）を認識するのに用いられる。
【００１６】
一方、ナビゲーション装置５は、サーバから取得したりメモリに格納された地図データに基づいて車両４の現在位置周辺の地図画像を表示したり、表示された地図画像中において車両４の現在位置を表示したり、設定された目的地までの経路の探索及び案内を行う車載器である。特に、本実施形態に係るナビゲーション装置５は、後述するように車両４が駐車を行う場合において、駐車管理を行う為に必要な各種情報の取得及び駐車管理サーバ３に対する送信を行う。
【００１７】
また、通信ネットワーク網６は全国各地に配置された多数の基地局と、各基地局を管理及び制御する通信会社とを含み、基地局及び通信会社を有線（光ファイバー、ＩＳＤＮ等）又は無線で互いに接続することにより構成されている。ここで、基地局はナビゲーション装置５との通信をするトランシーバー（送受信機）とアンテナを有する。そして、基地局は通信会社の間で無線通信を行う一方、通信ネットワーク網６の末端となり、基地局の電波が届く範囲（セル）にあるナビゲーション装置５の通信を駐車管理サーバ３との間で中継する役割を持つ。
【００１８】
続いて、駐車管理システム１が有する駐車管理サーバ３の構成について図２を用いてより詳細に説明する。駐車管理サーバ３は、図２に示すように駐車管理ＥＣＵ１２と、駐車管理ＥＣＵ１２に接続された情報記録手段としてのユーザ登録情報ＤＢ１３と、駐車場ＤＢ１４と、駐車管理ＤＢ１５と、センタ通信装置１６とを備える。
【００１９】
駐車管理ＥＣＵ（エレクトロニック・コントロール・ユニット）１２は、駐車管理サーバ３の全体の制御を行う電子制御ユニットであり、演算装置及び制御装置としてのＣＰＵ２１、並びにＣＰＵ２１が各種の演算処理を行うにあたってワーキングメモリとして使用されるＲＡＭ２２、制御用のプログラムのほか、後述の駐車管理プログラム（図７参照）や退出管理プログラム（図１１参照）等が記録されたＲＯＭ２３、ＲＯＭ２３から読み出したプログラムを記憶するフラッシュメモリ２４等の内部記憶装置を備えている。尚、駐車管理ＥＣＵ１２は、後述のナビゲーション装置５のＥＣＵとともに処理アルゴリズムとしての各種手段を有する。例えば、情報受信手段は、駐車場内に設けられたいずれかの駐車スペースに駐車した車両４から、車両４が駐車された駐車スペースを識別する駐車識別情報と、車両４を識別する車両識別情報とを受信する。駐車管理手段は、車両４から受信した駐車識別情報によって識別される駐車スペースに、車両４から受信した車両識別情報によって識別される車両４が駐車されると判定する。
【００２０】
また、ユーザ登録情報ＤＢ１３は、利用登録を行った車両４のユーザに関する登録情報を記憶した記憶手段である。尚、ユーザ登録情報ＤＢ１３に記憶される登録情報としては、ユーザのＩＤ、住所、氏名、電話番号、メールアドレス、車両の車種やナンバー、駐車料金の精算清算に用いるカード情報等がある。そして、駐車管理サーバ３は駐車を行った車両から送信された情報と、ユーザ登録情報ＤＢ１３に記憶された登録情報とを参照することによって、駐車を行った車両４（ユーザ）を特定することが可能となる。
【００２１】
また、駐車場ＤＢ１４は、管理対象となる駐車場に関する情報を記憶した記憶手段である。尚、駐車場ＤＢ１４に記憶される情報としては、図４に示すように駐車場を識別する施設ＩＤ、駐車場に隣接する道路（リンク）、駐車場に配置される各駐車スペースの位置座標と設置方向がある。尚、駐車場に隣接する道路は、特に駐車場の入口に隣接する道路とし、複数の道路が該当する場合には該当する全ての道路が記憶される。また、駐車スペースの位置座標と設置方向に関しては、必ずしも駐車スペース毎に記憶する必要はなく、複数の駐車スペースをエリアで区分したエリア毎に記憶しても良い。また、駐車場ＤＢ１４には駐車場の住所、名称等についても記憶しても良い。
【００２２】
また、駐車管理ＤＢ１５は、管理対象となる駐車場の利用状況について記憶する記憶手段である。具体的には、図５に示すように管理する駐車場の駐車スペース毎に、駐車の有無、駐車している車両がある場合には駐車する車両の識別情報（ユーザＩＤ）、駐車開始時刻、駐車の終了時刻について記憶される。尚、車両の車種やナンバー等についても記憶する構成としても良い。駐車管理サーバ３は、後述のように車両４から送信される情報に基づいて駐車管理ＤＢ１５を更新する。駐車管理サーバ３は駐車管理ＤＢ１５を参照することによって、駐車場を利用する車両４の最新の状況について管理することが可能となる。
【００２３】
一方、センタ通信装置１６はナビゲーション装置５と通信ネットワーク網６を介して通信を行う為の通信装置である。
【００２４】
次に、車両４に搭載されるナビゲーション装置５の概略構成について図６を用いて説明する。図６は本実施形態に係るナビゲーション装置５を示したブロック図である。
【００２５】
図６に示すように本実施形態に係るナビゲーション装置５は、ナビゲーション装置５が搭載された車両の現在位置を検出する現在位置検出部３１と、各種のデータが記録されたデータ記録部３２と、入力された情報に基づいて、各種の演算処理を行うナビゲーションＥＣＵ３３と、ユーザからの操作を受け付ける操作部３４と、ユーザに対して車両周辺の地図やナビゲーション装置５に設定された案内経路に関する情報等を表示する液晶ディスプレイ３５と、経路案内に関する音声ガイダンスを出力するスピーカ３６と、記憶媒体であるＤＶＤを読み取るＤＶＤドライブ３７と、駐車管理サーバ３やＶＩＣＳ（登録商標：Vehicle Information and Communication System）センタ等の情報センタとの間で通信を行う通信モジュール３８と、を有している。また、ナビゲーション装置５は、ＣＡＮ等の車載ネットワークを介して、フロントカメラ７及びバックカメラ８が接続されている。
【００２６】
以下に、ナビゲーション装置５が有する各構成要素について順に説明する。
現在位置検出部３１は、ＧＰＳ４１、車速センサ４２、ステアリングセンサ４３、ジャイロセンサ４４等からなり、現在の車両の位置、方位、車両の走行速度、現在時刻等を検出することが可能となっている。ここで、特に車速センサ４２は、車両の移動距離や車速を検出する為のセンサであり、車両の駆動輪の回転に応じてパルスを発生させ、パルス信号をナビゲーションＥＣＵ３３に出力する。そして、ナビゲーションＥＣＵ３３は発生するパルスを計数することにより駆動輪の回転速度や移動距離を算出する。尚、上記４種類のセンサをナビゲーション装置５が全て備える必要はなく、これらの内の１又は複数種類のセンサのみをナビゲーション装置５が備える構成としても良い。
【００２７】
また、データ記録部３２は、外部記憶装置及び記録媒体としてのハードディスク（図示せず）と、ハードディスクに記録された地図情報ＤＢ５１や所定のプログラム等を読み出すとともにハードディスクに所定のデータを書き込む為のドライバである記録ヘッド（図示せず）とを備えている。また、データ記録部３２にはナビゲーション装置５が搭載された車両４を識別するＩＤ（例えば駐車管理サーバ３に登録されているユーザＩＤ）等についても記憶される。尚、データ記録部３２としてはハードディスクの代わりにメモリーカードやＣＤやＤＶＤ等の光ディスクを有しても良い。また、地図情報ＤＢ５１は外部のサーバに格納させ、ナビゲーション装置５が通信により取得しても良い。
【００２８】
ここで、地図情報ＤＢ５１は、例えば、道路（リンク）に関するリンクデータ５２、ノード点に関するノードデータ５３、駐車場を含む施設に関する施設データ５４、経路の探索に係る処理に用いられる探索データ、地図を表示するための地図表示データ、各交差点に関する交差点データ、地点を検索するための検索データ等が記憶された記憶手段である。
【００２９】
一方、ナビゲーションＥＣＵ（エレクトロニック・コントロール・ユニット）３３は、ナビゲーション装置５の全体の制御を行う電子制御ユニットであり、演算装置及び制御装置としてのＣＰＵ６１、並びにＣＰＵ６１が各種の演算処理を行うにあたってワーキングメモリとして使用されるとともに、経路が探索されたときの経路データ等が記憶されるＲＡＭ６２、制御用のプログラムのほか、後述の駐車管理プログラム（図７参照）や退出管理プログラム（図１１参照）等が記録されたＲＯＭ６３、ＲＯＭ６３から読み出したプログラムを記憶するフラッシュメモリ６４等の内部記憶装置を備えている。尚、ナビゲーションＥＣＵ３３は、前述の駐車管理サーバ３の駐車管理ＥＣＵ１２とともに処理アルゴリズムとしての各種手段を有する。例えば、撮像手段は、車両４が駐車場内に設けられたいずれかの駐車スペースに駐車した場合に、該駐車スペースに対して設置された該駐車スペースを識別する駐車識別情報が描かれた標識を、フロントカメラ７又はバックカメラ８により撮像する。識別情報特定手段は、フロントカメラ７又はバックカメラ８により撮像された撮像画像に対して画像処理を施すことによって車両が駐車された駐車スペースを識別する駐車識別情報を特定する。情報送信手段は、車両から駐車管理サーバ３に識別情報特定手段により特定された駐車識別情報と車両を識別する車両識別情報とを送信する。
【００３０】
操作部３４は、走行開始地点としての出発地及び走行終了地点としての目的地を入力する際等に操作され、各種のキー、ボタン等の複数の操作スイッチ（図示せず）を有する。そして、ナビゲーションＥＣＵ３３は、各スイッチの押下等により出力されるスイッチ信号に基づき、対応する各種の動作を実行すべく制御を行う。尚、操作部３４は液晶ディスプレイ３５の前面に設けたタッチパネルを有しても良い。また、マイクと音声認識装置を有しても良い。
【００３１】
また、液晶ディスプレイ３５には、道路を含む地図画像、交通情報、操作案内、操作メニュー、キーの案内、ナビゲーション装置５で設定されている案内経路、案内経路に沿った案内情報、ニュース、天気予報、時刻、メール、テレビ番組等が表示される。尚、液晶ディスプレイ３５の代わりに、ＨＵＤやＨＭＤを用いても良い。
【００３２】
また、スピーカ３６は、ナビゲーションＥＣＵ３３からの指示に基づいて案内経路に沿った走行を案内する音声ガイダンスや、交通情報の案内を出力する。
【００３３】
また、ＤＶＤドライブ３７は、ＤＶＤやＣＤ等の記録媒体に記録されたデータを読み取り可能なドライブである。そして、読み取ったデータに基づいて音楽や映像の再生、地図情報ＤＢ５１の更新等が行われる。尚、ＤＶＤドライブ３７に替えてメモリーカードを読み書きする為のカードスロットを設けても良い。
【００３４】
また、通信モジュール３８は、前述した駐車管理サーバ３との間で情報の送受信を行う為の通信装置であり、例えば携帯電話機やＤＣＭが該当する。また、交通情報センタ、例えば、ＶＩＣＳセンタやプローブセンタ等から送信された交通情報を受信する為にも用いられる。
【００３５】
続いて、前記構成を有する駐車管理システム１において、駐車管理サーバ３及びナビゲーション装置５が実行する駐車管理プログラムについて図７に基づき説明する。図７は本実施形態に係る駐車管理プログラムのフローチャートである。ここで、駐車管理プログラムは、車両４のＡＣＣ電源(accessory power supply)がＯＮされた後に実行され、駐車を行った車両４から駐車管理サーバ３へと駐車の管理に必要な情報を送信するとともに、送信された情報に基づいて駐車場を利用する車両を管理するプログラムである。尚、以下の図７及び図１１にフローチャートで示されるプログラムは、駐車管理サーバ３やナビゲーション装置５が備えているＲＡＭやＲＯＭに記憶されており、ＣＰＵ２１或いはＣＰＵ６１により実行される。
【００３６】
先ず、図７に基づいてナビゲーション装置５のＣＰＵ６１が実行する駐車管理プログラムについて説明する。ステップ（以下、Ｓと略記する）１において、ＣＰＵ６１は、車両において駐車動作が開始されたか否かを判定する。例えばシフトレバーがＲに変更された場合、駐車場内で車両が一時停車した場合等に、駐車動作が開始されたと判定する。尚、フロントカメラ７やバックカメラ８で撮像した画像から判定しても良い。尚、前進して駐車スペースへと進入する前向き駐車か、後退して駐車スペースへと進入する後向き駐車かを識別できるのであれば、識別するのが望ましい。
【００３７】
そして、車両において駐車動作が開始されたと判定された場合（Ｓ１：ＹＥＳ）には、Ｓ２へと移行する。それに対して、車両において駐車動作が開始されていないと判定された場合（Ｓ１：ＮＯ）には、駐車動作が開始されるまで待機する。
【００３８】
次に、Ｓ２においてＣＰＵ６１は、フロントカメラ７及びバックカメラ８を起動して、車両の周辺環境の撮像を開始する。尚、車両が前向き駐車を行っていると識別できる場合には、フロントカメラ７のみで撮像を行っても良い。同じく、車両が後向き駐車を行っていると識別できる場合には、バックカメラ８のみで撮像を行っても良い。
【００３９】
ここで、駐車管理サーバ３によって管理される駐車場内の駐車スペースには、該駐車スペースを識別する駐車識別情報が描かれた標識が設置されている。ここで、図８は駐車管理サーバ３によって管理される駐車場７１の一例を示した図である。図８に示すように駐車場７１には複数の駐車スペース７２が設置されており、各駐車スペース７２の車両の進入方向に対して対向する位置には、２次元コード７４が描かれた看板形状の標識７３が設置されている。そして、駐車動作を開始した車両４では、フロントカメラ７又はバックカメラ８によって標識７３に描かれた２次元コード７４を撮像することとなる。尚、２次元コード７４は看板形状以外の標識に描くことも可能である、例えば駐車場内の壁や柱に直接描いても良い。また、２次元コードには、後述するように駐車スペースを識別する識別ＩＤ（駐車識別情報）が含まれている。
【００４０】
続いて、Ｓ３においてＣＰＵ６１は、フロントカメラ７及びバックカメラ８で撮像した撮像画像に対して２次元コードの読み取り処理（画像処理）を行う。尚、２次元コードの読み取り処理については公知技術であるので、説明は省略する。
【００４１】
次に、Ｓ４においてＣＰＵ６１は、前記Ｓ３の２次元コードの読み取り処理によって、フロントカメラ７及びバックカメラ８で撮像した撮像画像から２次元コードを読み取ることができたか否かを判定する。
【００４２】
そして、２次元コードを読み取ることができたと判定された場合（Ｓ４：ＹＥＳ）には、Ｓ６へと移行する。それに対して、２次元コードを読み取ることができなかったと判定された場合（Ｓ４：ＮＯ）には、Ｓ５へと移行する。
【００４３】
Ｓ５においてＣＰＵ６１は、駐車場が利用できないことの案内をユーザに対して行う。再度駐車操作をやり直すことを案内しても良い。
【００４４】
一方、Ｓ６においてＣＰＵ６１は、前記Ｓ３の２次元コードの読み取り処理によって読み取られた２次元コードから、駐車スペースを識別する識別ＩＤ（以下、駐車スペース識別ＩＤという）を特定する。尚、前記Ｓ６において特定される駐車スペース識別ＩＤは、基本的に車両が今回駐車した駐車場及び駐車スペースを識別する情報である。
【００４５】
次に、Ｓ７においてＣＰＵ６１は、前記Ｓ６の駐車スペース識別ＩＤの特定処理によって、車両が今回駐車した駐車場及び駐車スペースを識別する駐車スペース識別ＩＤを特定できたか否かを判定する。
【００４６】
そして、車両が今回駐車した駐車場及び駐車スペースを識別する駐車スペース識別ＩＤを特定できたと判定された場合（Ｓ７：ＹＥＳ）には、Ｓ８へと移行する。それに対して、車両が今回駐車した駐車場及び駐車スペースを識別する駐車スペース識別ＩＤを特定できなかったと判定された場合（Ｓ７：ＮＯ）には、Ｓ５へと移行する。Ｓ５では、駐車場が利用できないことの案内をユーザに対して行う。
【００４７】
次に、Ｓ８においてＣＰＵ６１は、前記Ｓ６で特定した駐車スペース識別ＩＤと、ナビゲーション装置５が搭載された車両４を識別するＩＤ（例えば駐車管理サーバ３に登録されているユーザＩＤ）と、現在位置検出部３１で検出した車両の現在位置及び方位と、車両が直近に位置した道路（リンク）とをそれぞれ駐車管理サーバ３へと送信する。尚、車両が直近に位置した道路は、車両が駐車場へと進入する直前に走行していた道路に相当し、車両の現在位置を特定する為のマッチング処理の結果に基づいて取得される。そして、車両４から送信された各情報を受信した駐車管理サーバ３では、後述のように受信した情報を用いて車両４が駐車管理サーバ３の管理する駐車場で駐車を行っているか否かの確認や、利用契約の締結などが行われる。
【００４８】
その後、Ｓ９においてＣＰＵ６１は、駐車管理サーバ３から送信される処理結果を受信する。具体的には、駐車管理サーバ３において車両４が駐車管理サーバ３の管理する駐車場で駐車を行っていることを正しく確認できたか否か、確認できた場合には駐車場の利用契約の締結ができたか否かを受信する。
【００４９】
次に、Ｓ１０においてＣＰＵ６１は、前記Ｓ９で駐車管理サーバ３から送信された処理結果をユーザに案内する。具体的には、駐車管理サーバ３において車両４が駐車管理サーバ３の管理する駐車場で駐車を行っていることを正しく確認でき、且つ駐車場の利用契約の締結ができた場合には、駐車場の利用契約が締結したことを案内する。また、駐車料金が先払いの駐車場においては、駐車料金の決済を行ったことについても案内する。
【００５０】
一方、駐車管理サーバ３において車両４が駐車管理サーバ３の管理する駐車場で駐車を行っていることを正しく確認できなかった場合、或いは駐車場の利用契約の締結ができなかった場合には、駐車場が利用できないことの案内をユーザに対して行う。再度駐車操作をやり直すことを案内しても良い。
【００５１】
次に、駐車管理サーバ３のＣＰＵ２１が実行する駐車管理プログラムについて説明する。
【００５２】
先ず、Ｓ１１においてＣＰＵ２１は、駐車を行った車両から送信される情報を受信する。尚、前記Ｓ１１で受信する情報は、前記Ｓ６で特定した駐車スペース識別ＩＤと、送信元の車両（即ち駐車を行った車両）を識別するＩＤ（例えば駐車管理サーバ３に登録されているユーザＩＤ）と、車両の現在位置及び方位と、車両が直近に位置した道路（リンク）である。
【００５３】
次に、Ｓ１２においてＣＰＵ２１は、後述の駐車判定処理（図１０）を行う。尚、駐車判定処理は、前記Ｓ１１で受信した情報を用いて車両４が駐車管理サーバ３の管理する駐車場で駐車を行っていることを駐車管理サーバ３側で確認する処理である。
【００５４】
続いて、Ｓ１３においてＣＰＵ２１は、前記Ｓ１２の駐車判定処理において車両４が駐車管理サーバ３の管理する駐車場で駐車を行っていることを正しく確認できたか否か判定する。
【００５５】
そして、前記Ｓ１２の駐車判定処理において車両４が駐車管理サーバ３の管理する駐車場で駐車を行っていることを正しく確認できたと判定された場合（Ｓ１３：ＹＥＳ）には、Ｓ１４へと移行する。それに対して、前記Ｓ１２の駐車判定処理において車両４が駐車管理サーバ３の管理する駐車場で駐車を行っていることを正しく確認できなかったと判定された場合（Ｓ１３：ＮＯ）には、Ｓ１７へと移行する。
【００５６】
Ｓ１４においてＣＰＵ２１は、車両４が駐車を行ったと判定された駐車場を運営する会社のサーバに対して、駐車利用契約の締結を要求する。
【００５７】
その後、Ｓ１５においてＣＰＵ２１は、前記Ｓ１４の要求に対する返信に基づいて、駐車利用契約の締結が可能か否かを判定する。
【００５８】
そして、駐車利用契約の締結が可能であると判定された場合（Ｓ１５：ＹＥＳ）には、Ｓ１６へと移行する。それに対して、駐車利用契約の締結ができないと判定された場合（Ｓ１５：ＮＯ）には、Ｓ１７へと移行する。
【００５９】
Ｓ１６においてＣＰＵ２１は、駐車利用契約の締結を行う。尚、駐車料金が前払いの駐車場については、ユーザ登録情報ＤＢ１３に登録された情報に基づいて駐車料金の決済処理についても行う。
【００６０】
そして、Ｓ１７においてＣＰＵ２１は、対象のナビゲーション装置５に対して前記Ｓ１２〜Ｓ１６の処理結果を送信する。具体的には、駐車管理サーバ３において車両４が駐車管理サーバ３の管理する駐車場で駐車を行っていることを正しく確認できたか否か、確認できた場合には駐車場の利用契約の締結ができたか否かを送信する。
【００６１】
次に、前記Ｓ１２において駐車管理サーバ３により実行される駐車判定処理のサブ処理について図１０に基づき説明する。図１０は駐車判定処理のサブ処理プログラムのフローチャートである。
【００６２】
先ず、Ｓ２１においてＣＰＵ２１は、前記Ｓ１１で受信した情報に基づいて、駐車場ＤＢ１４（図４）から確認対象の車両（前記Ｓ１１で受信した情報の送信元の車両であり、以下、対象車両という）が駐車管理サーバ３の管理する駐車場で駐車を行っていることを確認する為に必要な各種情報を取得する。具体的には、対象車両が駐車を行った駐車場に隣接する道路（リンク）、対象車両が駐車を行った駐車スペースの位置座標と設置方向を取得する。
【００６３】
次に、Ｓ２２においてＣＰＵ２１は、前記Ｓ１１で受信した対象車両の現在位置と、前記Ｓ２１で取得した駐車スペースの位置座標とを比較し、対象車両が駐車したと認識されている駐車スペースの位置から所定範囲（例えば半径１００ｍ）内に対象車両が位置するか否かを判定する。尚、前記Ｓ２２の判定基準となる所定範囲は、ＧＰＳの検出精度に応じて適宜設定することが望ましい。
【００６４】
そして、駐車スペースの位置から所定範囲内に対象車両が位置すると判定された場合（Ｓ２２：ＹＥＳ）には、Ｓ２３へと移行する。それに対して、駐車スペースの位置から所定範囲内に対象車両が位置しないと判定された場合（Ｓ２２：ＮＯ）には、対象車両が駐車管理サーバ３の管理する駐車場の駐車スペースに対して正しく駐車されていない、或いは２次元コードの読み取りが正しく行われていないと推定し、Ｓ２６へと移行する。
【００６５】
続いて、Ｓ２３においてＣＰＵ２１は、前記Ｓ１１で受信した対象車両が直近に位置した道路（リンク）と、前記Ｓ２１で取得した駐車場に隣接する道路（リンク）とを比較し、各リンクが一致したか否かを判定する。
【００６６】
そして、リンクが一致すると判定された場合（Ｓ２３：ＹＥＳ）には、Ｓ２４へと移行する。それに対して、リンクが一致しないと判定された場合（Ｓ２３：ＮＯ）には、対象車両が駐車管理サーバ３の管理する駐車場の駐車スペースに対して正しく駐車されていない、或いは２次元コードの読み取りが正しく行われていないと推定し、Ｓ２６へと移行する。
【００６７】
次に、Ｓ２４においてＣＰＵ２１は、前記Ｓ１１で受信した対象車両の現在方位と、前記Ｓ２１で取得した駐車スペースの設置方向とを比較し、対象車両が駐車したと認識されている駐車スペースの設置方向と対象車両の方位が対応するか否かを判定する。尚、方位が対応するとは、必ずしも設置方向と同一の方位である必要はなく、所定角度差（例えば１５度以内）が生じている場合についても含む。また、対象車両が前向き駐車か後向き駐車のいずれを行うかによって、車両の方位に１８０度の差が生じるが、前記Ｓ２４では上記駐車向きについても考慮して判定を行うのが望ましい。
【００６８】
そして、駐車スペースの設置方向と対象車両の方位が対応すると判定された場合（Ｓ２４：ＹＥＳ）には、Ｓ２５へと移行する。それに対して、駐車スペースの設置方向と対象車両の方位が対応しないと判定された場合（Ｓ２４：ＮＯ）には、対象車両が駐車管理サーバ３の管理する駐車場の駐車スペースに対して正しく駐車されていない、或いは２次元コードの読み取りが正しく行われていないと推定し、Ｓ２６へと移行する。
【００６９】
Ｓ２５においてＣＰＵ２１は、対象車両が駐車管理サーバ３の管理する駐車場で駐車を行っていることを正しく確認できたと判定する。また、駐車管理ＤＢ１５（図５）の更新についても行う。即ち、対象車両から送信された駐車スペース識別ＩＤによって識別される駐車スペースに、同じく対象車両から送信されたユーザＩＤによって識別される車両が駐車されたと認定して、駐車管理ＤＢ１５の更新を行う。その後、Ｓ１３へと移行する。
【００７０】
一方、Ｓ２６においてＣＰＵ２１は、対象車両が駐車管理サーバ３の管理する駐車場で駐車を行っていることを正しく確認できなかったと判定する。その後、Ｓ１３へと移行する。
【００７１】
続いて、駐車管理システム１において、駐車管理サーバ３及びナビゲーション装置５が実行する退出管理プログラムについて図１１に基づき説明する。図７は本実施形態に係る退出管理プログラムのフローチャートである。ここで、駐車管理プログラムは、前述した駐車管理プログラム（図７）において駐車場の利用契約が締結した後に実行され、車両の駐車スペースからの退出（即ち駐車の終了）を管理するプログラムである。
【００７２】
先ず、図１１に基づいてナビゲーション装置５のＣＰＵ６１が実行する退出管理プログラムについて説明する。Ｓ３１においてＣＰＵ６１は、車速センサ４２の検出結果に基づいて車両４の車速が０より大きいか否か、即ち車両４が駐車していた駐車スペースから走行を開始したか否かを判定する。尚、前記Ｓ３１では、フロントカメラ７やバックカメラ８で撮像した撮像画像を用いて、車両４が駐車スペースから走行を開始したか否かを判定しても良い。
【００７３】
そして、車両４の車速が０より大きいと判定された場合（Ｓ３１：ＹＥＳ）には、Ｓ３２へと移行する。それに対して、車両４の車速が０であると判定された場合（Ｓ３１：ＮＯ）には、車速が０より大きいと判定されるまで待機する。
【００７４】
次に、Ｓ３２においてＣＰＵ６１は、地図情報ＤＢ５１から車両４が駐車を行っていた駐車場の位置を示す位置座標を取得し、現在位置検出部３１で検出した車両４の現在位置と比較する。そして、車両４の現在位置と駐車場の位置座標との間が所定距離以上離れたか否かを判定する。尚、前記Ｓ３２の判定基準となる所定距離は固定値（例えば１００ｍ）としても良いし、駐車場の規模によって変更しても良い。
【００７５】
そして、車両４の現在位置と駐車場の位置座標との間が所定距離以上離れたと判定された場合（Ｓ３２：ＹＥＳ）には、Ｓ３３へと移行する。それに対して、車両４の現在位置と駐車場の位置座標との間が所定距離以上離れていないと判定された場合（Ｓ３２：ＮＯ）には、Ｓ３１へと戻る。
【００７６】
Ｓ３３においてＣＰＵ６１は、車両４が駐車スペースから退出したこと、即ち駐車を終了したことを通知する退出通知を駐車管理サーバ３へ送信する。尚、ナビゲーション装置５が搭載された車両４を識別するＩＤ（例えば駐車管理サーバ３に登録されているユーザＩＤ）についても駐車管理サーバ３へと送信する。車両４から送信された退出通知を受信した駐車管理サーバ３では、後述のように駐車場の利用契約の解除や駐車料金の決済処理を行う。
【００７７】
その後、Ｓ３４においてＣＰＵ６１は、駐車管理サーバ３から送信される契約解除完了通知を受信する。尚、駐車管理サーバ３において駐車料金の決済処理を行った場合には、決済した料金に関する情報についても受信する。
【００７８】
次に、Ｓ１０においてＣＰＵ６１は、駐車場の利用が終了したことをユーザに案内する。尚、駐車管理サーバ３において駐車料金の決済処理を行った場合には、決済した料金についても案内しても良い。
【００７９】
次に、駐車管理サーバ３のＣＰＵ２１が実行する退出管理プログラムについて説明する。
【００８０】
先ず、Ｓ４１においてＣＰＵ２１は、駐車スペースから退出した車両から送信される退出通知を受信する。
【００８１】
次に、Ｓ４２においてＣＰＵ２１は、車両４が駐車を行っていた駐車場を運営する会社のサーバに対して、駐車利用契約の解除（終了）を要求する。
【００８２】
続いて、Ｓ４３においてＣＰＵ２１は、駐車利用契約の解除を行う。尚、駐車料金が後払いの駐車場については、ユーザ登録情報ＤＢ１３に登録された情報に基づいて駐車料金の決済処理についても行う。尚、駐車料金が駐車時間によって決まる場合には、駐車管理ＤＢ１５（図５）を参照して駐車時間について算出し、決済処理を行う。また、駐車管理ＤＢ１５（図５）の更新についても行う。即ち、退出通知の送信元の車両が駐車スペースにおける駐車を終了したと認定して、駐車管理ＤＢ１５の更新を行う。
【００８３】
その後、Ｓ４４においてＣＰＵ２１は、対象のナビゲーション装置５に対して駐車場の利用契約の解除が完了したこと通知する契約解除完了通知を送信する。また、前記Ｓ４３において駐車料金の決済処理を行った場合には、決済した料金に関する情報についても送信する。
【００８４】
以上詳細に説明した通り、本実施形態に係る駐車管理システム１及び駐車管理サーバ３では、車両４が駐車場内に設けられたいずれかの駐車スペースに駐車した場合に、該駐車スペースに対して設置された該駐車スペースを識別する駐車識別情報が描かれた標識を撮像し（Ｓ２）、撮像された撮像画像に対して画像処理を施すことによって車両が駐車された駐車スペースを識別する駐車識別情報を特定し（Ｓ６）、車両４から駐車管理サーバ３に特定された駐車識別情報と車両を識別する車両識別情報とを送信し（Ｓ８）、駐車管理サーバ３において、車両４から送信された駐車識別情報によって識別される駐車スペースに、車両４から送信された車両識別情報によって識別される車両４が駐車されると判定する（Ｓ１２）ので、既存の車両４が備える撮像装置を用いて駐車管理を行うことによって、特に設備費用の負担を増やすことなく駐車管理を正確に行うことが可能となる。その結果、駐車スペースが多数ある駐車場においても設備費用が高額となることなく、一方、個人経営の小規模の駐車場においても、経営者に大きな負担を課すことを抑えることが可能となる。また、駐車を行う車両側のユーザの駐車場利用に際する作業負担についても抑えることが可能となる。また、駐車管理を正確に行うことにより不正決済を防止する効果もある。
【００８５】
尚、本発明は前記実施形態に限定されるものではなく、本発明の要旨を逸脱しない範囲内で種々の改良、変形が可能であることは勿論である。
例えば、本実施形態では駐車スペースを識別する駐車識別情報を２次元コードによって駐車スペースに描くこととしているが、２次元コード以外で駐車識別情報を駐車スペースに描いても良い。例えば、数字や文字の組み合わせ、記号、図形などでも良い。
【００８６】
また、本実施形態では、車両の現在位置、方位、直近に位置したリンクを用いて、駐車管理サーバ３で管理する駐車場で駐車が行われたか否かを確認する（Ｓ２２〜Ｓ２４）が、上記３つの要素全てを判定対象とする必要はなく、いずれか１又は２のみを判定対象としても良い。即ち、Ｓ２２〜Ｓ２４の処理の一部は省略しても良い。
【００８７】
また、本実施形態では、車両に搭載されたナビゲーション装置５によって駐車管理プログラム（図７参照）や退出管理プログラム（図１１参照）を実行することとしているが、ナビゲーション装置５以外の車載器で実行しても良い。また、図７及び図１１に示す各ステップの処理はナビゲーション装置５と駐車管理サーバ３のいずれが行っても良い。
【００８８】
また、本発明に係る駐車管理システムを具体化した実施例について上記に説明したが、駐車管理システムは以下の構成を有することも可能であり、その場合には以下の効果を奏する。
【００８９】
例えば、第１の構成は以下のとおりである。
周辺を撮像する撮像装置（７、８）を備えた車両（４）と、前記車両と双方向通信可能に接続されたサーバ（３）とを有し、駐車場を利用する車両を管理する駐車管理システム（１）であって、車両が駐車場内に設けられたいずれかの駐車スペースに駐車した場合に、該駐車スペースに対して設置された該駐車スペースを識別する駐車識別情報が描かれた標識（４４）を、前記撮像装置により撮像する撮像手段（６１）と、前記撮像手段により撮像された撮像画像に対して画像処理を施すことによって前記車両が駐車された駐車スペースを識別する前記駐車識別情報を特定する識別情報特定手段（６１）と、前記車両から前記サーバに前記識別情報特定手段により特定された前記駐車識別情報と前記車両を識別する車両識別情報とを送信する情報送信手段（６１）と、前記サーバにおいて、前記車両から送信された前記駐車識別情報によって識別される駐車スペースに、前記車両から送信された前記車両識別情報によって識別される車両が駐車されると判定する駐車管理手段（２１）と、を有する。
上記構成を有する駐車管理システムによれば、既存の車両が備える撮像装置を用いて駐車管理を行うことによって、特に設備費用の負担を増やすことなく駐車管理を正確に行うことが可能となる。その結果、駐車スペースが多数ある駐車場においても設備費用が高額となることなく、一方、個人経営の小規模の駐車場においても、経営者に大きな負担を課すことを抑えることが可能となる。また、駐車を行う車両側のユーザの駐車場利用に際する作業負担についても抑えることが可能となる。また、駐車管理を正確に行うことにより不正決済を防止する効果もある。
【００９０】
例えば、第２の構成は以下のとおりである。
前記情報送信手段（６１）では、前記駐車識別情報と前記車両識別情報とともに前記車両の位置を特定する車両位置情報についても前記サーバに送信し、前記駐車管理手段（２１）では、前記サーバ（３）において、前記車両から送信された前記駐車識別情報によって識別される駐車スペースの位置を取得し、前記駐車スペースの位置から所定範囲内に前記車両の位置がある場合に、前記駐車スペースに前記車両が駐車されると判定する。
上記構成を有する駐車管理システムによれば、車両の駐車管理を正確に行うことが可能となる。例えば、実際に駐車されている駐車スペースと異なる駐車スペースに車両が駐車されていると誤認識されたり、駐車を行っていないにも関わらず駐車を行っていると誤認識されることを防止することが可能となる。
【００９１】
例えば、第３の構成は以下のとおりである。
前記情報送信手段（６１）では、前記駐車識別情報と前記車両識別情報とともに前記車両が直近に位置した道路を特定する道路情報についても前記サーバに送信し、前記駐車管理手段では、前記サーバ（３）において、前記車両から送信された前記駐車識別情報によって識別される駐車スペースを含む駐車場に隣接する道路を取得し、前記駐車場に隣接する道路と前記車両が直近に位置した道路とが一致する場合に、前記駐車スペースに前記車両が駐車されると判定する。
上記構成を有する駐車管理システムによれば、車両の駐車管理を正確に行うことが可能となる。例えば、実際に駐車されている駐車スペースと異なる駐車スペースに車両が駐車されていると誤認識されたり、駐車を行っていないにも関わらず駐車を行っていると誤認識されることを防止することが可能となる。
【００９２】
例えば、第４の構成は以下のとおりである。
前記情報送信手段（６１）では、前記駐車識別情報と前記車両識別情報とともに前記車両の方位を特定する車両方位情報についても前記サーバ（３）に送信し、前記駐車管理手段（２１）では、前記サーバ（３）において、前記車両から送信された前記駐車識別情報によって識別される駐車スペースの設置方向を取得し、前記駐車スペースの設置方向と前記車両の方位が対応する場合に、前記駐車スペースに前記車両が駐車されると判定する。
上記構成を有する駐車管理システムによれば、車両の駐車管理を正確に行うことが可能となる。例えば、実際に駐車されている駐車スペースと異なる駐車スペースに車両が駐車されていると誤認識されたり、駐車を行っていないにも関わらず駐車を行っていると誤認識されることを防止することが可能となる。
【００９３】
例えば、第５の構成は以下のとおりである。
前記車両（４）が駐車していた前記駐車スペースから走行を開始した後であって、前記車両の現在位置が前記駐車場の位置を特定する座標から所定距離以上離れた場合に、前記サーバ（３）に前記車両識別情報とともに駐車の終了を示す駐車終了情報を送信する終了送信手段（６１）を有し、前記駐車管理手段（２１）では、前記サーバにおいて、前記車両から前記駐車終了情報を受信した場合に、前記駐車スペースにおける前記車両の駐車が終了したと判定する。
上記構成を有する駐車管理システムによれば、駐車を行っていた車両が駐車を終了する場合において、ユーザに特に作業負担を課すことなく、駐車が終了したことを正確に管理することが可能となる。
【符号の説明】
【００９４】
１              駐車管理システム
２              駐車管理センタ
３              駐車管理サーバ
４              車両
５              ナビゲーション装置
６              通信ネットワーク網
７              フロントカメラ
８              バックカメラ
１２            駐車管理ＥＣＵ
１３            ユーザ登録情報ＤＢ
１４            駐車場ＤＢ
１５            駐車管理ＤＢ
２１            ＣＰＵ
２２            ＲＡＭ
２３            ＲＯＭ
【図１】
2018067136.tif 000003
【図２】
2018067136.tif 000004
【図３】
2018067136.tif 000005
【図４】
2018067136.tif 000006
【図５】
2018067136.tif 000007
【図６】
2018067136.tif 000008
【図７】
2018067136.tif 000009
【図８】
2018067136.tif 000010
【図９】
2018067136.tif 000011
【図１０】
2018067136.tif 000012
【図１１】
2018067136.tif 000013